(57)【特許請求の範囲】
【請求項１】
シートの上に載置すべき支持体に上向きに突き出た突状体を連結し、
突状体の上端部には弾性体を取り付けてなる腰痛治療器であって、
前記突状体の上端部に凹陥部を形成し、
これに前記弾性体の基底部を嵌合することにより突状体の上端部に弾性体を取り付けることを特徴とし、さらに、
前記凹陥部の内周に縦方向の内周突条部を間隔を空けて複数条形成し、
これら突条部を前記弾性体の基底部に押圧することにより、
突状体の上端部に弾性体を取り付けることを特徴とする腰痛治療器。
【請求項２】
シートの上に載置すべき支持体に上向きに突き出た突状体を連結し、
突状体の上端部には弾性体を取り付けてなる腰痛治療器であって、
前記支持体を３本以上の支脚により構成し、
これら支脚の一端を突状体の下端部に回動自在に取り付けて、
支脚の他端を外方に開いてシートの上に突状体を上向きに突き出た状態で載置することを特徴とする腰痛治療器。
【発明の詳細な説明】
【技術分野】
【０００１】
本発明は、自動車のシート等に載置する腰痛治療具に関するものである。
【背景技術】
【０００２】
シートに座った状態（座位）で、その姿勢を長時間持続すると、血行が悪くなり筋肉が緊張して腰痛を引起す。加えて座位は脊椎を構成する椎間板に大きなストレスがかかることも知られている（『整形外科痛みへのアプローチ▲６▼  腰背部の痛み』監修：寺山和雄、片山治．編集：山本博司．南港堂より）。特に骨盤にゆがみがある人にとって、座位での長時間の姿勢の維持は耐えがたい苦痛となる。座位で一定の姿勢を継続することにより発生する腰痛は、一般のデスクワークを行う人だけでなく、長距離に渡ってトラック等を運転するドライバに多く見られる。
【０００３】
上記腰痛を緩和するためには、１時間に１度程度立ち上がってストレッチなどを行うことが推奨されているが、その際に骨盤を矯正するマッサージなどを施すことにより腰痛の緩和が促進される。例えばギアードモータを採用した牽引装置を用いたり（特許文献１）、本出願の発明者が出願中（ＰＣＴ／ＪＰ２０１１／０５９８３９）である装置を用いて、腰椎が安定した状態である立位で骨盤を矯正したりすることで、より腰痛の緩和が促進される。
【０００４】
しかし、前記特許文献１に掲げた腰痛治療具等は、安全の為に床にしっかりと設置する必要があったり、設置のためのスペースが必要になったりして、簡易に腰痛治療を行うことができないという問題があった。またモータなどの機械を用いる場合は、使用方法によっては過度の矯正がなされることがあった。
【先行技術文献】
【特許文献】
【０００５】
【特許文献１】特開２０１０−１８８１７１号公報
【発明の概要】
【発明が解決しようとする課題】
【０００６】
一般のデスクワークを行っている人や、長距離トラック等のドライバが簡易に腰痛の治療を行うことができる腰痛治療器を提供することである。
【課題を解決するための手段】
【０００７】
本発明は、上記課題を解決すべく次のような技術的手段を講じた。
すなわち、請求項１記載の発明は、シートの上に載置すべき支持体に上向きに突き出た突状体を連結し、突状体の上端部には弾性体を取り付けてなる腰痛治療器である。
【０００８】
さらに上記構成に加え、請求項１記載の発明は、前記突状体の上端部に凹陥部を形成し、これに前記弾性体の基底部を嵌合することにより突状体の上端部に弾性体を取り付けることを特徴とする。
【０００９】
さらに上記構成に加え、請求項１記載の発明は、前記凹陥部の内周に縦方向の内周突条部を間隔を空けて複数条形成し、これら突条部を前記弾性体の基底部に押圧することにより、突状体の上端部に弾性体を取り付けることを特徴とする。
【００１０】
また、請求項２記載の発明は、シートの上に載置すべき支持体に上向きに突き出た突状体を連結し、突状体の上端部には弾性体を取り付けてなる腰痛治療器であって、前記支持体を３本以上の支脚により構成し、これら支脚の一端を突状体の下端部に回動自在に取り付けて、支脚の他端を外方に開いてシートの上に突状体を上向きに突き出た状態で載置することを特徴とする腰痛治療器である。
【発明の効果】
【００１１】
請求項１に記載の発明によれば、ドライバ等の使用者がシートの上に腰痛治療具を載置し、その上の突状体に使用者の尾てい骨を当てながら腰掛けることにより、使用者の自重を利用して、脊椎落下を尾てい骨直下からの上部への垂直圧迫で改善することが可能であり、簡易に腰痛の治療を行うことができる。
【００１２】
加えて、突状体の上端部に凹陥部を形成し、これに弾性体の基底部を嵌合することにより、上端部に取り付ける弾性体の交換が容易となり、使用者の腰痛の程度に合わせた弾性体で治療を行うことが可能となる。
【００１３】
さらに、凹陥部の内周に縦方向の内周突条部を、間隔を空けて複数状形成し、これらの内周突条部を弾性体の基底部に押圧し弾性体を取り付けることにより、弾性体を凹陥部の中央に適切に配置しながら固定することができる。また、使用者の体重による弾性体の変形を、弾性体と凹陥部との間の空間で吸収でき、弾性体の弾力を適切に利用して腰痛の治療を行うことができる。
【００１４】
請求項２に記載の発明によれば、腰痛治療器の支持体を構成する支脚が、突状体の下端部に回動自在に取り付けられ、その腰痛治療器は、支脚を外方に開いてシートの上に突状体を上向きに突き出た状態で載置して使用することにより、腰痛治療器をコンパクトに変形することができ、使用しないときの必要な収納スペースを小さくできる。収納スペースが小さいことにより自動車などの狭い空間に格納しても邪魔になることがない。
【図面の簡単な説明】
【００１５】
【図１】第一実施形態に係る腰痛治療具の使用状態を示す全体斜視図である。
【図２】図１の腰痛治療具の使用状態を示す側面図である。
【図３】支持体上の突状体の部分拡大図である。
【図４】第二実施形態に係る腰痛治療具の全体斜視図である。
【図５】第三実施形態に係る腰痛治療具の全体斜視図である。
【図６】図５の腰痛治療具の正面図である。
【図７】第四実施形態に係る腰痛治療具の全体斜視図である。
【図８】図７の腰痛治療具の正面図である。
【発明を実施するための形態】
【００１６】
上記技術思想に基づいて具体的に構成された実施の形態について以下に図面を参照しつ
つ説明する。
【００１７】
図１は第一実施形態に腰痛治療具の使用状態を示す全体斜視図であり、図２はその使用状態を側方から見た図である。また図３は、支持体２上の突状体３の部分拡大図であり、（ａ）図は平面図、（ｂ）図は側方からの断面図である。以下の説明においては、シート７に座る使用者８を基準として前後左右と表現する。
【００１８】
本発明に係る腰痛治療具は、支持体２に上向きに突き出た突状体３を連結し、その突状体３の上端部に弾性体４を取り付けて構成される。支持体２は平板状の直方体で、上方から見ると略正方形であり、下面の左右にある互いに平行な二つの辺の部分において大きく面取りを施した形状をしている。この面取り部分があることにより、自動車のシート７の左右両側にある膨らみにその部分を合わせ、シート７上での支持体２の左右位置を決めることができる。支持体２は木製で一体的に加工される。木製であることで、全体の重量を軽減すると同時に、使用者の肌が触れたときに心地よい間隔を与える。ただし、材料は木製に限定されるものではなく、外殻をアルミ等の金属で構成することも可能である。その場合は剛性を確保するためにリブ等を内部に設けたり、使用者の肌触りをよくするために、表面をシート７に使用されている生地で覆ったりする。
【００１９】
突状体３の外部形状は円筒形状で、下端部におねじを、上端部には円形の凹陥部３ａを形成している。凹陥部３ａの内周は外部の円筒と同心であり、本実施形態では４本の縦方向の内周突条部５を、間隔を空けて等分に配置している。突状体３は支持体２と同じく木製であり、支持体２の上面に設けためねじに、その下端部に設けたおねじをねじ込むことにより支持体２と固定する。支持体２の上面に設けためねじは、左右方向の中央で、前後方向の中央のやや後方に位置するようにする。
【００２０】
突状体３の上端部に取り付けた弾性体４の材質は軟質ゴムであり、外形は約５［ｃｍ］程度の円筒形状である。また弾性体４の軸方向の高さは、凹陥部３ａの深さよりも２［ｃｍ］程度高く、弾性体４の基底部４ｂを突状体３の凹陥部３ａに嵌合すると、弾性体４の上部が接触治療部４ａとして上方に突出する。弾性体４の取り付けについてより詳細に述べると突状体３の凹陥部３ａの内周には、先のとがった縦方向の内周突条部５を４条形成し、それら４条の内周突条部５は９０度ごとに等分に配置する。弾性体４の外径は、内周突条部５の先端を結んでできる円の直径よりもやや大きく、また突状体３の凹陥部３ａの内径よりも小さくする。弾性体４を突状体３の凹陥部３ａに差込むと、弾性体４の外径が大きいことにより、弾性体４の基底部４ｂに内周突条部５が押圧し、その部分の摩擦で弾性体４と突状体３が固定されるようになる。弾性体４は軟質ゴムであり、その硬さは腰痛治療具の使用者の嗜好により変更することができる。
【００２１】
本発明に係る腰痛治療具の使用方法について説明する。腰痛治療具の使用者８を、長距離を一人で運転してきたドライバだと仮定すると、まず使用者８は休憩の為にパーキングエリアに自動車を停止し、腰痛を和らげるために外に出て軽くストレッチを行う。その後支持体２に突状体３と弾性体４とを取り付けた状態の腰痛治療具を、自動車のシート７の上に載置する。載置する際、支持体２の下面にある面取りのある辺をシート７の左右のふくらみに合うようにし、また突状体３がある方向をシート７の背もたれに近い側に位置するようにする。そして使用者８は、使用者８の尾てい骨が弾性体４と接するようにシート７に座る。シート７に座る際は、ハンドルを持つなどしてゆっくりと弾性体４に使用者の自重がかかるようにする。弾性体４は使用者８の自重が作用すると変形する程度の硬さのものであり、弾性体４の変形は、凹陥部３ａと弾性体４との間にある空間により吸収される。数分程度身体を上下させることで腰痛の緩和を促進できる。使用後は自動車の中に突状体３を結合した状態で保管する。
【００２２】
ドライバ等の使用者８がシート７の上に腰痛治療具を載置し、その上の突状体３に使用者８の尾てい骨を当てながら腰掛けることにより、使用者８の自重を利用して、脊椎落下を尾てい骨直下からの上部への垂直圧迫で改善することが可能であり、簡易に腰痛の治療を行うことができる。立位で治療を行うことに比較すると、腰痛緩和の効果は小さいが、簡易に行うことができるので、腰痛の症状が軽い間にすばやく対処することができる。
【００２３】
また、突状体３の上端部に凹陥部３ａを形成し、これに弾性体４の基底部４ｂを嵌合することにより、上端部に取り付ける弾性体４の交換が容易となり、使用者８の腰痛の程度に合わせた弾性体４で治療を行うことが可能となる。
【００２４】
加えて、凹陥部３ａの内周に縦方向の内周突条部５を、間隔を空けて複数状形成し、これらの内周突条部５を弾性体４の基底部４ｂに押圧し弾性体４を取り付けることにより、弾性体４を凹陥部３ａの中央に適切に配置しながら固定することができる。また、使用者８の体重による弾性体４の変形を、弾性体４と凹陥部３ａとの間の空間で吸収でき、弾性体４の弾力を適切に利用して腰痛の治療を行うことができる。
【００２５】
図４から図８に他の実施形態の腰痛治療具を示す。図４は第二実施形態の腰痛治療具の全体斜視図であり、（ａ）図は使用状態を、（ｂ）図は保管状態を示す。
【００２６】
腰痛治療具などの健康器具を使用しないときは、保管のためのスペースが必要になるが自動車などの限られた空間においてはそのスペースを確保することが困難であった。そこで第二実施形態以後の腰痛治療具は支持体２の変形を可能とすることで、腰痛治療具を保管するスペースを小さくすることを可能とした。
【００２７】
第二実施形態の腰痛治療具の支持体２は４本の支脚６を支脚支持部材９に回動自在に取り付けて構成する。支脚６は短い２本と、長い２本とにより構成され、それら支脚６の一端を突状体３の下方に設けた支脚支持部材９に回動自在に取り付ける。支脚６及び支脚支持部材９はアルミ等の金属製の中空部材であり、取り付け方法としては、支脚支持部材９側に設けた軸に、支脚６に加工した孔をはめ込み、その間で相対的な回動動作を可能とする。そして支脚支持部材９の他端を外方に開いて（ａ）図にあるように突状体３を上向きに突き出た状態で、シート７の上に載置して使用する。使用後は（ｂ）図にあるように４本の支脚６を１本にまとめる。まとめた状態では支脚支持部材９の外径よりも、１本にまとめた支脚６部分の径が小さくなるようにする。支脚６を軸方向から見たときの断面形状は、中心角が９０度の扇形であり、中心角の部分はシート７を傷つけないように面取りが施されている。実施形態として長さが異なる４本の支脚６で支持体２を構成するものを説明したが、支脚６は３本以上であればよく、また支脚６自体に伸縮機能を持たせたものであってもよい。伸縮機能があることより保管スペースを更に小さくすることができる。
【００２８】
腰痛治療器の支持体２を構成する支脚６が、突状体３の下端部に回動自在に取り付けられ、その腰痛治療器は、支脚６を外方に開いてシート７の上に突状体３を上向きに突き出た状態で載置して使用することにより、腰痛治療器をコンパクトに変形することができ、使用しないときの必要な収納スペースを小さくできる。収納スペースが小さいことにより自動車などの狭い空間に格納しても邪魔になることがない。
【００２９】
図５は第三実施形態に係る腰痛治療具の全体斜視図であり、（ａ）図は使用状態を、（ｂ）図は保管状態を示す。また図６はその腰痛治療具の正面図であり、（ａ）図は使用状態を、（ｂ）図は保管状態を示す。
【００３０】
第三実施形態に係る腰痛治療具の支持体２は中央に位置する中空の収容体１０と、この収容体１０から引き出すことで支持体２を構成する左右のサポータ１２により構成する。本実施形態に係る腰痛治療具を使用する場合は、サポータ１２を収容体１０から引き出して、支持体２が上方から見て略正方形と成るようにして使用をする。引き出す際に使用者は、サポータ１２の左右端付近に形成した長孔に指を入れて左右外側に引き、収容体１０内部に設けた図示しない規制部材により左右方向の移動が規制されるまでサポータ１２を左右外側に引く。腰痛治療具を保管する際は、左右端部からサポータ１２に左右内側に力を加えることでサポータ１２を収容体１０の内部に移動させる。収容体１０には突状体３の取り付け部があるので、その部分を避けるようにサポータ１２には切り欠きが設けられている。なお本実施形態では左右にサポータ１２を引き出すように構成したが、収容体１０の一方向にのみサポータ１２を設けるなどの方式も考えられる。
【００３１】
上記構成とすることで、第二実施形態と同様、腰痛治療器をコンパクトに変形することができ、使用しないときの必要な収納スペースを小さくできる。収納スペースが小さいことにより自動車などの狭い空間に格納しても邪魔になることがない。
【００３２】
図７は第四実施形態に係る腰痛治療具の全体斜視図であり、（ａ）図は使用状態を、（ｂ）図は保管状態を示す。また図８はその腰痛治療具の正面図であり、（ａ）図は使用状態を、（ｂ）図は保管状態を示す。
【００３３】
第四実施形態に係る腰痛治療具の支持体２は中央に位置する中実の基板１１と、基板１１の下面角部にちょう番１３で回動可能に取り付けた左右のサポータ１２により構成する。本実施形態に係る腰痛治療具を使用する場合は、サポータ１２を（ａ）図のように開いた状態にし、支持体２が上方から見て略正方形となるようにして使用する。腰痛治療具を保管する際は、サポータ１２を（ｂ）図のように折り畳んだ状態にして保管する。本実施形態では左右にサポータ１２を設けるように構成したが、基板１１の一方向にのみサポータ１２を設けるなどの方式も考えられる。
【００３４】
上記構成とすることで、第二、第三実施形態と同様、腰痛治療器をコンパクトに変形することができ、使用しないときの必要な収納スペースを小さくできる。収納スペースが小さいことにより自動車などの狭い空間に格納しても邪魔になることがない。
【符号の説明】
【００３５】
１  腰痛治療具
２  支持体
３  突状体
３ａ  凹陥部
４  弾性体
４ａ  接触治療部
４ｂ  基底部
５  内周突条部
６  支脚
７  シート
８  使用者
９  支脚支持部材
１０  収容体
１１  基板
１２  サポータ
１３  ちょう番
【図１】
0005928886.tif 000002
【図２】
0005928886.tif 000003
【図３】
0005928886.tif 000004
【図４】
0005928886.tif 000005
【図５】
0005928886.tif 000006
【図６】
0005928886.tif 000007
【図７】
0005928886.tif 000008
【図８】
0005928886.tif 000009